(57)【要約】【課題】車の周辺の施設で現在提供されているサービス情報をリアルタイムにユーザに提供する。【解決手段】自車位置がサービス情報を無線信号によって提供している施設に近づいたとき、車載用電子機器１１は、無線通信デバイス２６を用いて当該施設の無線機器３１との間の無線通信を自動的に実行する。これにより、車載用電子機器１１は、自車位置周辺の各施設から無線信号によって送信される当該施設のサービス内容を示すサービス情報を取得することができる。取得されたサービス情報は、表示制御部１１３によって車載モニタの画面上に表示される。ユーザは、サービス情報を取得すべき施設を何等明示的に指定することなく、サービス情報を無線で提供する施設に車が近づいた時にその施設で現在提供されているサービス情報をリアルタイムに車載モニタの画面上で確認することが出来る。【選択図】　　図１
2004102416.tif 000002
【特許請求の範囲】
【請求項１】
車に搭載された表示装置に各種情報を表示可能な車載用電子機器において、
無線通信エリア内に位置する各無線機器との無線通信を実行する無線通信手段と、
自車位置から前記無線通信エリア内に位置する施設が提供するサービスの内容を示すサービス情報を、前記施設に設けられた無線機器との間の無線通信を前記無線通信手段を用いて実行することによって受信するサービス情報受信手段と、
前記サービス情報受信手段によって受信されたサービス情報を前記表示装置の画面上に表示する手段とを具備することを特徴とする車載用電子機器。
【請求項２】
サービス情報を表示すべき施設の種類を指定する手段をさらに具備し、
前記サービス情報表示手段は、
前記サービス情報受信手段によって受信されたサービス情報毎にそのサービスを提供している施設の種類を判別する手段と、
前記判別結果と前記指定された施設の種類とに基づいて、前記受信されたサービス情報毎にそのサービス情報を前記表示装置に表示すべきか否かを決定する手段とを含むことを特徴とする請求項１記載の車載用電子機器。
【請求項３】
前記サービス情報は前記施設で利用可能なクーポン券情報を含み、
前記サービス情報受信手段によって受信されたサービス情報に含まれるクーポン券情報をプリント出力または前記車載用電子機器に接続された携帯機器にダウンロードする手段をさらに具備することを特徴とする請求項１記載の車載用電子機器。
【請求項４】
自車位置を検出する位置検出手段と、
前記位置検出手段によって検出された自車位置の周辺の地図を前記表示装置に表示する手段とをさらに具備し、
前記サービス情報表示手段は、
前記サービス情報受信手段によって受信されたサービス情報を、そのサービスを提供している施設が存在する前記地図上の位置に対応付けて表示する手段とを含むことを特徴とする請求項１記載の車載用電子機器。
【請求項５】
前記サービス情報には、それに対応するサービスを提供している施設の位置を示す位置情報が含まれており、
前記サービス情報表示手段は、
前記サービス情報に含まれる位置情報に基づいて、そのサービス情報に対応するサービスを提供している施設の位置を検出する手段を含むことを特徴とする請求項４記載の車載用電子機器。
【請求項６】
自車位置を検出する位置検出手段と、
車の走行中に、前記位置検出手段によって検出された自車位置と目的地の位置とに基づいて当該目的地までの残りの所要距離または所要時間を決定する手段と、
前記目的地までの残りの所要距離または所要時間が所定の設定値以下になった場合、前記無線通信手段を用いて、前記目的地に設けられた遠隔制御システムを制御するための制御情報を前記遠隔制御システム宛に無線信号によって送信する手段とをさらに具備することを特徴とする請求項１記載の車載用電子機器。
【請求項７】
ビデオデータを無線信号によって配信する無線機器との間の無線通信を前記無線通信手段を用いて実行し、前記ビデオデータを受信する手段と、
前記受信されたビデオデータの映像を、車に搭載されたスクリーンに投影する映像投影手段とをさらに具備することを特徴とする請求項１記載の車載用電子機器。
【請求項８】
車に搭載された表示装置に各種情報を表示可能な車載用電子機器において、
自車位置を検出する位置検出手段と、
地図情報を記憶した地図データベースに基づいて、前記位置検出手段によって検出された自車位置の周辺の地図を前記表示装置に表示すると共に、自車位置の周辺に存在する各施設の所在位置を前記地図上に表示する表示制御手段と、
サービスを提供する自車位置周辺の施設の内で自己のサービス内容を無線信号によって送信可能な施設に対して自車位置が無線通信可能な範囲内に近接した場合、当該施設からサービス情報を受信するサービス情報受信手段と、
前記サービス情報受信手段によって受信されたサービス情報を前記表示装置に表示するサービス情報表示手段とを具備することを特徴とする車載用電子機器。
【請求項９】
前記サービス情報表示手段は、
前記サービス情報受信手段によって受信されたサービス情報を、そのサービスを提供している施設が存在する前記地図上の位置に対応付けて表示する手段を含むことを特徴とする請求項８記載の車載用電子機器。
【請求項１０】
車に搭載された表示装置に各種情報を表示可能な車載用電子機器に適用されるサービス情報表示方法であって、
前記車載用電子機器に設けられた無線通信装置の無線通信可能範囲内に位置する施設に設けられた無線機器との間の無線通信を前記無線通信手段を用いて実行し、前記施設が提供するサービス内容を示すサービス情報を前記無線機器から受信するサービス情報受信ステップと、
前記サービス情報受信ステップによって受信されたサービス情報を前記表示装置の画面上に表示するステップとを具備することを特徴とするサービス情報表示方法。
【請求項１１】
サービス情報を表示すべき施設の種類を指定するステップをさらに具備し、
前記サービス情報表示ステップは、
前記サービス情報受信ステップによって受信されたサービス情報毎にそのサービスを提供している施設の種類を判別するステップと、
前記判別結果と前記指定された施設の種類とに基づいて、前記受信されたサービス情報毎にそのサービス情報を前記表示装置に表示すべきか否かを決定するステップとを具備することを特徴とする請求項１０記載のサービス情報表示方法。
【請求項１２】
自車位置を検出する位置検出ステップと、
前記位置検出ステップによって検出された自車位置の周辺の地図を前記表示装置に表示するステップとをさらに具備し、
前記サービス情報表示ステップは、
前記サービス情報受信ステップによって受信されたサービス情報を、そのサービスを提供している施設が存在する前記地図上の位置に対応付けて表示するステップとを含むことを特徴とする請求項１０記載のサービス情報表示方法。
【請求項１３】
車に搭載された表示装置に各種情報を表示可能な車載用電子機器に適用されるサービス情報表示方法であって、
自車位置を検出する位置検出ステップと、
地図情報を記憶した地図データベースに基づいて、前記位置検出ステップによって検出された自車位置の周辺の地図を前記表示装置に表示すると共に、自車位置の周辺に存在する各施設の所在位置を前記地図上に表示する表示制御ステップと、
サービスを提供する自車位置周辺の施設の内で自己のサービス内容を無線信号によって送信可能な施設に対して自車位置が無線通信可能な範囲内に近接した場合、当該施設からサービス情報を受信するサービス情報受信ステップと、
前記サービス情報受信ステップによって受信されたサービス情報を前記表示装置に表示するサービス情報表示ステップとを具備することを特徴とするサービス情報表示方法。
【請求項１４】
前記サービス情報表示ステップは、
前記サービス情報受信ステップによって受信されたサービス情報を、そのサービスを提供している施設が存在する前記地図上の位置に対応付けて表示するステップを含むことを特徴とする請求項１３記載のサービス情報表示方法。
【発明の詳細な説明】
【０００１】
【発明の属する技術分野】
本発明は車に搭載された表示装置に各種情報を表示可能な車載用電子機器および同車載用電子機器に適用されるサービス情報表示方法に関する。
【０００２】
【従来の技術】
従来より、車に搭載して使用される代表的な車載用電子機器として、カーナビゲーション装置が知られている。
【０００３】
カーナビゲーション装置は、ＧＰＳ（Ｇｌｏｂａｌ　Ｐｏｓｉｔｉｏｎｉｎｇ　Ｓｙｓｔｅｍ）等の位置検出装置を用いて自車位置を検出し、そしてその自車位置周辺の地図を地図データベースから検索して画面上に表示することにより、道路案内や目的地までの経路誘導を行う。
【０００４】
さらに、最近では、道路案内や目的地までの経路誘導のみならず、地図データベースに格納されている様々な付帯情報を表示する機能を持つカーナビゲーション装置も開発されている。
【０００５】
このような付帯情報を表示可能なカーナビゲーション装置としては、レストラン、給油所等の施設の情報を地図データベースに予め格納しておき、自車位置周辺の施設を必要に応じて地図データベースから検索するものが知られている（例えば、特許文献１参照。）。
【０００６】
【特許文献１】
特開２００２−２２１４３０号公報（第７−８頁）
【０００７】
【発明が解決しようとする課題】
しかしながら、地図データベースに予め登録された付帯情報を利用する方式においては、例えばレストラン、給油所等の施設において現在提供されているサービスの詳細等をユーザにリアルタイムに呈示することは実際上困難である。
【０００８】
本発明は上述の事情を考慮してなされたものであり、自車位置の周辺の任意の施設で現在提供されているサービス情報を自動的にユーザに提供することが可能な車載用電子機器およびサービス情報表示方法を提供することを目的とする。
【０００９】
【課題を解決するための手段】
上述の課題を解決するため、本発明は、車に搭載された表示装置に各種情報を表示可能な車載用電子機器において、無線通信エリア内に位置する各無線機器との無線通信を実行する無線通信手段と、自車位置から前記無線通信エリア内に位置する施設が提供するサービスの内容を示すサービス情報を、前記施設に設けられた無線機器との間の無線通信を前記無線通信手段を用いて実行することによって受信するサービス情報受信手段と、前記サービス情報受信手段によって受信されたサービス情報を前記表示装置の画面上に表示する手段とを具備することを特徴とする。
【００１０】
また、本発明は、車に搭載された表示装置に各種情報を表示可能な車載用電子機器において、自車位置を検出する位置検出手段と、地図情報を記憶した地図データベースに基づいて、前記位置検出手段によって検出された自車位置の周辺の地図を前記表示装置に表示すると共に、自車位置の周辺に存在する各施設の所在位置を前記地図上に表示する表示制御手段と、サービスを提供する自車位置周辺の施設の内で自己のサービス内容を無線信号によって送信可能な施設に対して自車位置が無線通信可能な範囲内に近接した場合、当該施設からサービス情報を受信するサービス情報受信手段と、前記サービス情報受信手段によって受信されたサービス情報を前記表示装置に表示するサービス情報表示手段とを具備することを特徴とする。
【００１１】
これら車載用電子機器によれば、自車位置周辺の施設のサービス情報を無線通信によって自動的に受信することができるので、自車位置周辺の施設によって現在提供されているサービス情報をリアルタイムにユーザに提供することが可能となる。
【００１２】
【発明の実施の形態】
以下、図面を参照して本発明の実施形態を説明する。
【００１３】
図１には、本発明の一実施形態に係る車載用電子機器の構成が示されている。この車載用電子機器１１は自動車に搭載して使用されるシステムであり、カーナビゲーション機能と無線通信機能とを連動させることによってユーザにとって有意義な様々な情報を提供する。
【００１４】
カーナビゲーション機能は、自車位置周辺の地図を画面上に表示することにより、道路案内や目的地までの経路誘導を行う機能である。無線通信機能は、走行中にその自車位置周辺の各施設から無線信号によって送信されるサービス情報を自動的に受信するための機能である。
【００１５】
ここで、サービス情報とは、例えばレストラン、ガソリンスタンド、コンビニエンスストア、映画館、美術館、サービスエリア、遊園地、アミューズメントパークなどの各施設が現在提供しているサービスの内容を、その施設の周囲の道路を走行中の車のドライバーにリアルタイムに提供するための電子情報である。サービス情報には、例えば、割引券、優待券等の電子クーポン券情報も含まれる。
【００１６】
サービス情報と施設は基本的に一対一の関係にあり、サービス情報を無線信号によって提供している施設内またはその施設の周辺には、当該施設のサービス情報を無線信号によって送信する無線通信機（無線局）が設けられている。
【００１７】
自車位置が、自己のサービス内容を示すサービス情報を無線信号によって提供している施設に近づいたとき、車載用電子機器１１は当該施設との無線通信を自動的に実行する。これにより、自車位置周辺の各施設に関するサービス情報をユーザに自動的に提供することが出来る。
【００１８】
車載用電子機器１１には、図示のように、システム制御部１２、ＣＤ／ＤＶＤドライブ装置１３、およびストレージ装置１４が設けられている。
【００１９】
システム制御部１２は車載用電子機器１１の動作を制御するための各種情報処理を実行するプロセッサであり、カーナビゲーション機能、無線通信機能、さらにそれらカーナビゲーション機能と無線通信機能とを連動させる機能を有している。
【００２０】
ＣＤ／ＤＶＤドライブ装置１３は、それに装着されたＣＤまたはＤＶＤ等の記憶メディアからそこに記憶されている地図データベースを読み出すためのドライブ装置である。地図データベースは地図および各種施設の位置情報等を含む地図情報を記憶したデータベースである。
【００２１】
ストレージ装置１４は例えばハードディスクドライブ（ＨＤＤ）から構成されており、ここには様々なコンテンツデータを記憶することが出来る。地図データベースをストレージ装置１４に予め記憶しておくこともできる。この場合、システム制御部１２は、ＣＤ／ＤＶＤドライブ装置１３を使用せずとも必要な地図情報をストレージ装置１４から読み出すことができる。
【００２２】
車載用電子機器１１は、さらに、ＧＰＳユニット１６、車速センサ１７、ジャイロセンサ１８、および車両情報検出部１９を備えている。これらＧＰＳユニット１６、車速センサ１７、ジャイロセンサ１８、および車両情報検出部１９は、インターフェース２０を介してシステム制御部１２に接続されている。
【００２３】
ＧＰＳユニット１６は自車の現在位置（自車位置）を検出するための位置検出装置であり、ＧＰＳアンテナ１５を介して複数の衛星からの電波を受信して自車位置（緯度、経度）を測位する。
【００２４】
車速センサ１７およびジャイロセンサ１８はそれぞれ自車の走行速度および走行方向を検出するためのセンサである。検出された走行速度および走行方向は、例えば、ＧＰＳユニット１６によって検出された自車位置の補正等に用いられる。車両情報検出部１９は、例えば、車がバックしたことや、サイドブレーキが踏まれたことなどに関する様々な車両情報を検出する。
【００２５】
車載用電子機器１１は、さらに、ＴＶチューナ２１、音声入出力部２２、表示装置２３、タブレットコントローラ２４、プロジェクタ２５、無線通信デバイス２６、メモリカードインタフェース２７、携帯電話インターフェース２８、プリンタ２９、およびオーディオ出力インターフェース３０を備えている。
【００２６】
ＴＶチューナ２１は地上波放送、衛星放送等の各種放送信号の受信および局選択を行う装置である。音声入出力装置２２はユーザからの音声入力に基づいて車載用電子機器１１の動作を制御する音声コントロール機能、および経路誘導やサービス情報等に関する音声案内を行うために用いられる。
【００２７】
表示装置２３はユーザに各種情報を呈示するための車載モニタ（ＬＣＤモニタ）であり、カーナビゲーションのための地図情報の表示、無線通信デバイス２６によって受信された周辺施設のサービス情報の表示、ＴＶチューナ２１によって受信されたＴＶ放送番組の表示等に用いられる。
【００２８】
タブレットコントローラ２４はユーザ操作に応じて各種動作の実行をシステム制御部１２に指示するための入力装置である。このタブレットコントローラ２４は、表示装置２３の表示画面上に配置された透明の座標検出装置から構成されている。これにより、表示装置２３の表示画面はタッチスクリーンとして機能する。ユーザはタッチスクリーン上に表示される各種ボタンを指でタッチすることにより、各種操作指示を入力することが出来る。
【００２９】
プロジェクタ２５はビデオデータの映像を車に搭載されたスクリーン上に投影する装置であり、車に搭載されたオーディオ機器と連動してカーシアターを実現するために用いられる。
【００３０】
無線通信デバイス２６は他の各無線機器（無線局）との間の無線通信を実行する装置であり、例えばＩＥＥＥ８０２．１１ａまたはＩＥＥＥ８０２．１１ｂ等の無線ＬＡＮ規格に準拠した無線通信を実行するように構成されている。
【００３１】
無線通信デバイス２６の無線通信可能エリアは自車位置から例えば半径１００ｍ程度の範囲である。無線通信デバイス２６は、その無線通信可能エリア内に属する各無線機器との間で一対一または一対多の無線通信を行うことが出来る。
【００３２】
この無線通信デバイス２６は車の走行中に上述のサービス情報を自動的に受信するために用いられる。
【００３３】
すなわち、車の走行中においては、その走行に伴って無線通信デバイス２６の無線通信可能エリアがカバーする地理的な位置も動的に変化する。無線通信デバイス２６は、例えば、それと通信可能な無線通信機を探索するための局発見処理を定期的に実行する。これにより、無線通信デバイス２６は、自車位置周辺に存在する無線機器を自動的に検出（認識）する事が出来る。無線通信デバイス２６は、検出した無線機器と無線接続することにより、その無線機器に対応する施設が提供するサービス内容を示すサービス情報を当該無線機器から直接的に受信する。
【００３４】
ユーザ（ドライバーまたは同乗者）は、サービス情報を取得すべき施設を何等明示的に指定することなく、サービス情報を無線で提供する任意の施設に車が近づいた時にその施設のサービス情報を自動的に表示装置２３の画面上で確認することが出来る。
【００３５】
各無線機器からのサービス情報の送信は例えばプッシュ型情報サービスの形態で行われる。無線通信デバイス２６は無線通信可能な範囲に近づいた無線機器との間の無線接続を確立するだけで、無線接続が確立された無線機器に対応する施設のサービス情報をその無線機器から受信することが出来る。
【００３６】
車の走行中におけるサービス情報の表示においては、無線でサービス情報を提供する施設に自車位置が近接した時点で即座に画面表示することが好ましい。サービス情報が表示された時点で、既に自車位置が該当施設を通過してしまっているという事態を防止するためである。無線通信デバイス２６の無線通信速度は例えば５４Ｍｂｐｓという高速であり、またインターネットや形態電話網を介すことなく、周辺の施設に設けられた無線機器から直接的にサービス情報を取得するので、無線でサービス情報を提供する施設に自車位置が近接した時点で即座にその施設のサービス情報を画面表示することができる。
【００３７】
さらに、無線通信デバイス２６は、自宅のホームサーバとの通信や、ドライブインシアターに設置されたサーバから配信されるコンテンツデータの受信のためにも用いられる。ドライブインシアターは、自動車に乗ったまま映画を鑑賞可能な野外施設である。
【００３８】
メモリカードインターフェース２７は、車載用電子機器１１に取り外し自在に装着される携帯型デバイスであるメモリカード１をアクセスするための装置であり、メモリカード１へのデータの書き込みおよびメモリカード１からのデータの読み出しを行う。
【００３９】
携帯電話インターフェース２８は携帯電話機２を車載用電子機器１１に接続するためのインターフェースである。携帯電話インターフェース２８は、例えば、携帯電話機２のデータ通信機能を用いてインターネット等から最新の地図情報をダウンロードするためなどに用いられる。
【００４０】
地図データベースには予め各施設のホームページアドレスが登録されている。携帯電話機２を用いてある施設のホームページをアクセスする場合には、無線通信可能な範囲内に存在する各周辺施設からサービス情報を取得する場合とは異なり、地図データベースに登録されている当該施設のホームページアドレスを用いて、インターネット上の該当するＷＥＢサーバを能動的にアクセスすることが必要となる。
【００４１】
プリンタ２９は受信されたサービス情報に含まれるクーポン券情報を紙にプリント出力するために用いられる。オーディオ出力インターフェース３０は、車載用電子機器１１と車内のオーディオ機器とを接続するためのインターフェースである。
【００４２】
システム制御部１２は車載用電子機器１１の各機能を実行するための機能実行部として、図示のように、ナビゲーション制御部１１１、サービス情報制御部１１２、表示制御部１１３、通信制御部１１４、ホームサーバ制御部１１５、およびカーシアター制御部１１６を備えている。これら各制御部は、例えば、システム制御部１２内のＣＰＵによって実行されるプログラムによって実現されている。
【００４３】
ナビゲーション制御部１１１は上述のカーナビゲーション機能を実行するためのものであり、地図データベースを検索することによってＧＰＳユニット１６によって検出された自車位置周辺の地図を取得し、そしてそれを表示装置２３に表示する。この場合、地図上には自車位置および走行方向を示すマーカが表示される。
【００４４】
さらに、地図上には、各施設の所在位置とその施設の種類を示すランドマーク（アイコン）が表示される。また、ナビゲーション制御部１１１は、ユーザによって設定された目的地までの経路誘導を行う機能も有している。
【００４５】
サービス情報制御部１１２は、無線通信デバイス２６を用いてサービス情報を取得する処理、取得されたサービス情報を表示制御部１１３と共同して表示装置２３の地図上に表示するための処理、さらには取得されたクーポン券情報をプリンタ２９からプリント出力する処理等を実行する。
【００４６】
表示制御部１１３は、表示装置２３に表示すべき画面データを生成するためのものであり、ナビゲーション制御部１１１から送信される地図と自車位置情報とからナビゲーション画面を生成する処理、および表示装置２３の表示画面上にサービス情報制御部１１２から出力されるサービス情報を表示する処理などを行う。
【００４７】
通信制御部１１４は、サービス情報制御部１１２、ホームサーバ制御部１１５、およびカーシアター制御部１１６それぞれの制御の下に、無線通信デバイス２６の無線通信動作を制御する。
【００４８】
ホームサーバ制御部１１５は、ユーザによって予め設定された設定情報に基づいて、ユーザの自宅に設定されたホームサーバとの間の通信を制御する。カーシアター制御部１１６は、ドライブインシアターに設置されたサーバやホームサーバからコンテンツデータを受信する処理、および受信したコンテンツデータを再生する処理を実行する。
【００４９】
次に、図２を参照して、各施設からサービス情報を取得するための構成について説明する。
【００５０】
レストラン、コンビニ等の店（ＳＨＯＰ）、ガソリンスタンド、および美術館、アミューズメントパークなどの他の施設それぞれには、無線端末３１が配置されている。各無線端末３１は、それに対応する施設のサービス情報を含むデータパケットを無線信号によって送信する無線機器（無線局）である。
【００５１】
各無線端末３１は、それに対応する施設内またはその近傍に設置されている。各無線端末３１は、例えば、無線通信デバイスとそれに接続されたコンピュータ等から構成される。各無線端末３１の無線通信機能は、無線通信デバイス２６と同じ無線ＬＡＮ規格に基づくものである。
【００５２】
また、例えば商店街等のように複数の店舗施設が近接して建ち並ぶ地域においては、それら店舗施設で一つの無線端末を共同して使用し、その無線端末から複数の店舗施設それぞれのサービス情報をデータパケットとして送信しても良い。
【００５３】
各無線端末３１から車載用電子機器１１に無線送信されるデータパケットの一例を図３に示す。
【００５４】
図３に示されているように、データパケットは、サービスＩＤフィールド、サービス情報フィールド、位置情報フィールド、およびクーポン券情報フィールドとから構成される。
【００５５】
サービスＩＤフィールドには、該当する施設の種類つまりその施設が提供するサービスのジャンルを示すサービスＩＤがセットされる。サービス情報フィールドには、該当する施設のサービス情報の実体を構成する情報（テキストデータ又はグラフィクスデータ）がセットされ、またクーポン券情報フィールドにはクーポン券情報（テキストデータ又はグラフィクスデータ）がセットされる。クーポン券情報自体がサービス情報である場合にはサービス情報フィールドは空となる。また、サービス情報の実体は含むが、クーポン券情報は含まないデータパケットもある。位置情報フィールドには、該当する施設の所在位置を示す位置情報（例えば、緯度および経度）がセットされる。
【００５６】
無線端末３１から無線信号によって送信されるデータパケットは、それを受信した車載用電子機器１１内において次のように処理される。
【００５７】
すなわち、図２に示されているように、車載用電子機器１１においては、データパケットはまず無線通信デバイス２６によって受信される。無線通信デバイス２６によって受信されたデータパケットは、通信制御部１１４を介してサービス情報制御部１１２に送られる。サービス情報制御部１１２は、予め作成された設定情報（モード設定情報）に従って動作する。この設定情報には、受信すべきサービス情報のジャンルを示す情報、およびサービス情報の表示形態を指定する情報等が含まれている。
【００５８】
サービス情報制御部１１２は、設定情報とデータパケット内に含まれるサービスＩＤとに基づいて、当該データパケットがユーザにとって必要なサービス情報であるかどうかを判断する。当該データパケットがユーザにとって必要なサービス情報であるならば、サービス情報制御部１１２は、当該データパケットからサービス情報、位置情報、クーポン券情報を抽出する。サービス情報および位置情報は表示制御部１１３に送られ、またクーポン券情報はプリンタ２９に送られる。
【００５９】
サービス情報制御部１１２からサービス情報を受信したとき、表示制御部１１３は、現在表示中の画面（ナビゲーション画面またはＴＶ画面）上に重ねてサービス情報を表示する（ポップアップ表示）。この表示画面の一例を図４に示す。
【００６０】
図４に示されているように、ナビゲーション画面またはＴＶ画面上には、例えば「○○××割引中　クーポン券有り」等のメッセージを含むサービス情報１００が表示される。また、データパケット内にクーポン券情報が含まれている場合には、図示のように、「クーポン券出力」ボタン１０１が画面上に表示される。「クーポン券出力」ボタン１０１は、クーポン券情報のプリント出力を指示するための操作ボタンである。もちろん、プリント出力する代わりに、クーポン券情報をメモリカード１または携帯電話機２にダウンロードしても良い。
【００６１】
ユーザは、プリント出力されたクーポン券、またはメモリカード１もしくは携帯電話機２にダウンロードされたクーポン券情報を該当する施設の店員に呈示することにより、割引等のサービスを受けることが出来る。
【００６２】
また、ナビゲーション画面上にサービス情報を表示する場合には、表示制御部１１３は、サービス情報制御部１１２から受信した位置情報に基づき、そのサービス情報を、地図上における該当する施設の所在位置に表示することができる。この表示画面の一例を図５に示す。
【００６３】
ナビゲーション画面には、図示のように、地図２００が表示される。この地図２００は、自車位置周辺の地域の地図である。地図２００上には、現在の自車位置および走行方向を示すマーク２０１が表示される。さらに、地図２００上には、その地図上に存在する各種施設それぞれの種類に対応するランドマーク３０１〜３０４が表示される。ランドマーク３０１〜３０４の表示位置は、それに対応する施設の所在位置に対応している。
【００６４】
サービス情報１００は、データパケットに含まれている位置情報に基づき、そのサービス情報１００に対応する施設の所在位置に表示される。例えばサービス情報１００がランドマーク３０４に対応する施設のサービス情報である場合には、そのサービス情報１００は、ランドマーク３０４に対応付けて図示のように表示される。
【００６５】
サービス情報１００をそれに対応する施設の位置に対応付けて表示する形態としては、図６のような２画面表示を用いることも出来る。
【００６６】
図６においては、表示装置２３の画面は左右２つの画面（表示画面＃１，表示画面＃２）に分割されている。表示画面＃１はナビゲーション画面の表示に用いられ、表示画面＃２はサービス情報の表示に用いられる。
【００６７】
サービス情報１００がランドマーク３０４に対応する施設のサービス情報である場合、表示画面＃１においては、ランドマーク３０４に近接して図示のように識別マーク（ＩＤマーク）４０１が表示される。この識別マーク４０１は、表示画面＃２に表示されているサービス情報１００がどの施設に対応するものであるかを識別するためのマークである。
【００６８】
図７には、モード設定情報の設定画面の例が示されている。ユーザは、図７の設定画面を用いてサービス情報の表示に関する動作を設定することが出来る。
【００６９】
この設定画面上には、図示のように、サービス情報を表示するか否かを指定する設定項目が設けられている。サービス情報を表示する設定をユーザが選択した場合、ユーザは、さらに表示すべきサービス情報の種類（サービスジャンル）を指定することが出来る。これは、どの種類のサービスを提供している施設からのサービス情報を表示するかを指定するものである。ユーザは、サービス情報の種類（サービスジャンル）毎にその表示／非表示を指定することが出来る。
【００７０】
さらに、設定画面上には、表示モードに関する設定項目と、クーポン券出力モードに関する設定項目が設けられている。表示モードは、サービス情報の表示形態を指定するものであり、ユーザは、「ポップアップ表示」モード（図４の表示形態）、「地図上に表示」モード（図５の表示形態）、および「２画面表示」モード（図６の表示形態）の３つの表示モードの中から使用対象の表示モードを指定することができる。クーポン券出力モードは、クーポン券情報の出力形態を指定するものであり、ユーザは、「プリントアウト」、「携帯電話に出力」、「メモリカードに出力」の３つの出力モードの中から使用対象の出力モードを指定することができる。
【００７１】
次に、図８のフローチャートを参照して、システム制御部１２によって実行される一連の処理について説明する。
【００７２】
車載用電子機器１１は車のエンジンの始動に応答して自動的に起動される。システム制御部１２は、まず、モード設定情報に基づいて、サービス情報を表示するモードが指定されているかどうかを判断する（ステップＳ１１１）。サービス情報を表示するモードが指定されているならば、システム制御部１２は、通信制御部１１４を通じて無線通信デバイス２６を動作状態に設定する（ステップＳ１１２）。動作状態に設定された無線通信デバイス２６は、その通信エリア内に存在する無線機器を発見するための局発見処理を定期的に実行する。
【００７３】
この後、システム制御部１２は、ナビゲーション制御部１１３を用いて、ナビゲーション処理を開始する（ステップＳ１１３）。このナビゲーション処理においては、ＧＰＳユニット１６によって検出される自車位置に基づき、自車位置周辺の地図の表示、およびユーザによって設定された目的地までの経路案内等が行われる。
【００７４】
走行中において自車位置がサービス情報を無線で送信する施設に近づくと、その施設に設けられた無線機器が無線通信デバイス２６によって検出される。すなわち、無線通信デバイス２６は局発見要求をブロードキャストし、無線通信デバイス２６の無線通信範囲に存在する各無線機器からの応答を待つ。無線通信デバイス２６は、応答を返した各無線機器との間の無線接続を確立する事が出来る。無線通信デバイス２６は、無線接続が確立された各無線機器との間の無線通信を実行することによって、それに対応する施設のサービス情報（データパケット）を取得する。
【００７５】
無線通信デバイス２６によってサービス情報（データパケット）が受信された時（ステップＳ１１４のＹＥＳ）、システム制御部１２は、サービス情報制御部１１２を用いて、当該サービス情報がユーザによって表示対象として指定されたサービスジャンルのものであるかどうかを判断する（ステップＳ１１５）。この判断は、上述したように、データパケットに含まれるサービスＩＤとモード設定情報とに基づいて行われる。
【００７６】
サービス情報がユーザによって表示対象として指定されたサービスジャンルのものでは無かった場合には（ステップＳ１１５のＮＯ）、システム制御部１２は、そのデータパケットを破棄する。サービス情報の表示は行われない。
【００７７】
一方、サービス情報がユーザによって表示対象として指定されたサービスジャンルのものである場合には（ステップＳ１１５のＹＥＳ）、システム制御部１２は、モード設定情報に基づいて、ユーザによって指定されている表示モードを判定する（ステップＳ１１６）。
【００７８】
表示モードが「ポップアップ」モードである場合、システム制御部１２は、表示制御部１１３を用いて、データパケットに含まれているサービス情報を地図上に重ねてポップアップ表示する（ステップＳ１１７）。さらに、システム制御部１２は、サービス情報制御部１１２を用いてデータパケットにクーポン券情報が含まれているかどうかを判断する（ステップＳ１１８）。クーポン券情報が含まれている場合には（ステップＳ１１８のＹＥＳ）、システム制御部１２は、表示制御部１１３を用いて、上述の「クーポン券出力」ボタン１０１を地図上に表示する（ステップＳ１１９）。
【００７９】
表示モードが「地図上に表示」モードである場合、システム制御部１２は、データパケットに含まれている位置情報に基づいて、サービス提供元、つまり受信されたサービス情報に対応するサービスを提供する施設が地図上のどの位置に存在するものであるかを検出する（ステップＳ１２０）。次いで、システム制御部１２は、表示制御部１１３を用いて、データパケットに含まれているサービス情報を、地図上の該当位置に重ねてポップアップ表示する（ステップＳ１２１）。具体的には、図５で説明したように、サービス提供元のランドマークアイコンに対応付けてサービス情報が表示される。さらに、システム制御部１２は、サービス情報制御部１１２を用いてデータパケットにクーポン券情報が含まれているかどうかを判断する（ステップＳ１２２）。クーポン券情報が含まれている場合には（ステップＳ１２２のＹＥＳ）、システム制御部１２は、表示制御部１１３を用いて、上述の「クーポン券出力」ボタン１０１を地図上に表示する（ステップＳ１２３）。
【００８０】
表示モードが「２画面表示」モードである場合、システム制御部１２は、まず、表示制御部１１３を用いて、表示装置２３の画面を地図表示用画面とサービス情報表示用画面との２画面に分割する（ステップＳ１２４）。次いで、システム制御部１２は、データパケットに含まれている位置情報に基づいて、サービス提供元、つまり受信されたサービス情報に対応するサービスを提供する施設が地図上のどの位置に存在するものであるかを検出する（ステップＳ１２５）。この後、システム制御部１２は、表示制御部１１３を用いて、地図表示用画面に表示されている地図上の該当位置にＩＤマークを表示する（ステップＳ１２６）。具体的には、図６で説明したように、サービス提供元のランドマークアイコンに対応付けてＩＤマークが表示される。
【００８１】
さらに、システム制御部１２は、表示制御部１１３を用いて、データパケットに含まれているサービス情報をサービス情報表示用画面上にポップアップ表示する（ステップＳ１２７）。そして、システム制御部１２は、サービス情報制御部１１２を用いてデータパケットにクーポン券情報が含まれているかどうかを判断する（ステップＳ１２８）。クーポン券情報が含まれている場合には（ステップＳ１２８のＹＥＳ）、システム制御部１２は、表示制御部１１３を用いて、上述の「クーポン券出力」ボタン１０１をサービス情報表示用画面上に表示する（ステップＳ１２９）。
【００８２】
以上のように、車の走行中においては、無線によってサービス情報を提供可能な新たな施設が無線通信デバイス２６の無線通信エリア内に入る度に、車載用電子機器１１は、無線通信デバイス２６を用いて当該施設の無線機器３１に無線接続し、その無線機器３１との間の無線通信を自動的に実行する。これにより、車載用電子機器１１は、自車位置周辺の各施設から無線信号によって送信される当該施設のサービス内容を示すサービス情報を取得することができる。ユーザは、サービス情報を取得すべき施設を何等明示的に指定することなく、サービス情報を無線で提供する施設に車が近づいた時にその施設で現在提供されているサービス情報をリアルタイムに車載モニタの画面上で確認することが出来る。
【００８３】
なお、受信したサービス情報に含まれる施設の位置情報と自車位置情報とを比較することにより、無線通信エリア内に位置する施設それぞれから受信したサービス情報のうち、自車位置との距離が無線通信エリアよりも狭い所定の範囲内に位置する施設からのサービス情報のみを表示することもできる。
【００８４】
これは、例えば、自車位置から１０ｍ範囲内、２０ｍ範囲内、などのように、無線通信エリア（１００ｍ）よりも狭い任意の値をサービス情報探索範囲としてユーザに指定させ、自車位置との距離が指定されたサービス情報探索範囲に属する施設からのサービス情報のみを表示するという構成によって実現できる。これにより、自車が例えば店舗等の施設の駐車場に進入した時に、その店舗のサービス情報を表示するという制御が可能となる。
【００８５】
次に、図９のフローチャートを参照して、「クーポン券出力」ボタン１０１が押された場合に実行される処理について説明する。
【００８６】
「クーポン券出力」ボタン１０１がユーザによって押された場合（ステップＳ１３１のＹＥＳ）、システム制御部１２は、まず、モード設定情報に基づいて、ユーザによって指定されているクーポン券出力モードを判定する（ステップＳ１３２）。
【００８７】
クーポン券出力モードが「プリントアウト」モードである場合、システム制御部１２は、データパケットに含まれているクーポン券情報をプリンタ２９に印刷データとして送信し、それをプリント出力させる（ステップＳ１２３）。
【００８８】
クーポン券出力モードが「携帯電話に出力」モードである場合には、システム制御部１２は、データパケットに含まれているクーポン券情報を携帯電話インターフェース２８を介して携帯電話２にダウンロードする（ステップＳ１３４）。
【００８９】
クーポン券出力モードが「メモリカードに出力」モードである場合には、システム制御部１２は、データパケットに含まれているクーポン券情報を、メモリカードインターフェース２７を介してメモリカード１にダウンロード（書き込み）する（ステップＳ１３５）。
【００９０】
以上、車の走行中に自車位置に近接した施設のサービス情報を自動的に取得する処理について説明したが、自車位置周辺の施設を検索することを示すユーザからの明示的な指示に応答して自車位置周辺の施設を探索し、探索された施設からサービス情報を取得することも可能である。これは、自車位置周辺にどのような施設が存在するかを検索するという一種の周辺検索機能である。
【００９１】
通常、周辺検索機能は地図データベースのみを用いて行われる場合が多いが、この場合には詳細なサービス内容をユーザに呈示することは困難である。無線通信によって自車位置周辺の施設から直接にサービス情報を取得するという拡張された周辺検索機能を用いることにより、自車位置周辺の施設が現在提供しているサービス内容の詳細をユーザに呈示することが可能となる。この拡張周辺検索機能の処理手順の一例を図１０に示す。
【００９２】
図１０のフローチャートに示されているように、システム制御部１２は、自車位置周辺の施設を検索することがユーザによって指示されると（ステップＳ１４１のＹＥＳ）、まず、検索対象とすべき施設の種類（検索対象とすべきサービスのジャンル）をユーザに問い合わせ、その結果に応じて検索対象のサービスジャンルを決定する（ステップＳ１４２）。
【００９３】
この場合、システム制御部１２は、例えば、予め決められた施設の種類の一覧を示す施設リスト（レストラン、ガソリンスタンド、コンビニエンスストア、映画館、サービスエリア、等）が表示装置２３の画面上に表示し、その施設リストの中からユーザによって選択されたサービスジャンルを検索対象として決定する。もちろん、図７のモード設定画面によって予め指定されているサービスジャンルを検索対象として採用しても良い。
【００９４】
システム制御部１２は、通信制御部１１４を介して無線通信デバイス２６を制御し、自車位置から無線通信デバイス２６の無線通信エリア内に存在する施設それぞれのサービス情報を受信する処理を実行する（ステップＳ１４３）。例えば、無線通信デバイス２６は局発見要求をブロードキャストし、その局発見要求に応答した施設の各無線機器との間の無線通信を実行する。この無線通信により、周辺の各施設の無線機器から無線信号によって送信される該当する施設のサービス情報を受信することが出来る。
【００９５】
サービス情報が受信される度に、システム制御部１２は、サービス情報として受信されたデータパケットに含まれるサービスＩＤを参照して、当該サービス情報が検索対象のサービスジャンルに対応するものであるかどうかを判別する（ステップＳ１１４）。検索対象のサービスジャンルに対応するサービス情報（データパケット）であるならば（ステップＳ１１４のＹＥＳ）、システム制御部１２は、表示制御部１１３を用いて、そのデータパケットに含まれるサービス情報を表示装置２３の画面上に表示するサービス情報表示処理を実行する（ステップＳ１４５）。
【００９６】
このサービス情報表示処理においても、サービス情報のみを単独で表示するだけでなく、そのサービス情報を該当する施設の地図上の位置に対応付けて表示することが出来る。この場合、上述の「地図上に表示」モードに対応する処理が実行される。
【００９７】
すなわち、システム制御部１２は、データパケットに含まれている位置情報に基づいて、サービス提供元、つまり受信されたサービス情報に対応するサービスを提供する施設が地図上のどの位置に存在するものであるかを検出する。次いで、システム制御部１２は、表示制御部１１３を用いて、データパケットに含まれているサービス情報を、地図上の該当位置に重ねてポップアップ表示する。具体的には、自車位置周辺の地図が地図データベースから検索され、それが画面表示される。そして、その地図上に表示されている各施設のランドマークアイコンの内、サービス情報提供元の施設に対応するランドマークアイコンに対応付けてサービス情報が表示される。
【００９８】
さらに、システム制御部１２は、サービス情報制御部１１２を用いてデータパケットにクーポン券情報が含まれているかどうかを判断する。クーポン券情報が含まれている場合には、システム制御部１２は、表示制御部１１３を用いて、上述の「クーポン券出力」ボタン１０１を地図上に表示する。
【００９９】
なお、「２画面表示」モードを用いても、サービス情報を該当する施設の地図上の位置に対応付けて表示することが出来る。
【０１００】
次に、図１１乃至図１３を参照して、無線通信デバイス２６を用いて家庭内のホームサーバを遠隔制御する処理について説明する。
【０１０１】
図１１に示されているように、家庭内においては、ホームサーバ５０１が設けられている。ホームサーバ５０１は無線または有線の家庭内ＬＡＮを介して空調機器（エアコン）５０２、給湯システム５０３、およびオーディオ・ビデオ機器５０４等の各家電機器に接続されており、それら各家電機器との通信を実行することによって、各家電機器の動作を制御する。
【０１０２】
ホームサーバ５０１は無線通信デバイス２６と同じ無線ＬＡＮ規格の無線通信機能を有しており、無線通信機能を持つ家電機器との通信は無線によって行うことが出来る。また、例えば自動車が例えば自宅またはその付近の駐車場に停車している場合など、車載用電子機器１１の無線通信デバイス１１がホームサーバ５０１と無線通信可能なエリア内に存在する場合には、ホームサーバ５０１と車載用電子機器１１との間の通信も無線ＬＡＮによって直接的に行うことが出来る。
【０１０３】
さらに、ホームサーバ５０１はインターネットにも接続されているので、車載用電子機器１１を搭載した車が自宅から離れた場所に位置する場合であっても、車載用電子機器１１は、自車位置周辺の無線アクセスポイント（ＡＰ）６０１およびインターネットを介してホームサーバ５０１との通信を行うことが出来る。
【０１０４】
車載用電子機器１１とホームサーバ５０１との間の通信は、車載用電子機器１１に設けられたホームサーバ制御部１１５によって制御される。ホームサーバ制御部１１５は、通信制御部１１４を介して無線通信デバイス２６を制御することにより、ホームサーバ５０１に対して家電機器を遠隔制御するための制御情報を送信する。ホームサーバ制御部１１５によるホームサーバ５０１の遠隔制御は、予めユーザによって設定された設定情報（ホームサーバ制御モード設定情報）に従って自動的に実行される。
【０１０５】
図１２には、ホームサーバ制御モードを設定するための設定画面の例が示されている。
【０１０６】
ユーザは、図１２の設定画面を用いてホームサーバ制御に関する動作を設定することが出来る。
【０１０７】
この設定画面上には、図示のように、車載用電子機器１１によってホームサーバの自動制御を行うか否かを指定する設定項目が設けられている。ホームサーバ自動制御を行う設定をユーザが選択した場合、ユーザは、さらに制御対象の家電機器、その制御内容の詳細（例えば空調や給湯システムの温度設定等）を設定することが出来る。
【０１０８】
さらに、設定画面上には、制御開始条件を指定する設定項目が設けられている。この設定項目はホームサーバの遠隔制御を何時行うかをユーザに指定させるものであり、自宅までの残りの所要距離を指定する項目と残り所要時間を指定する項目とを含む。ユーザは、残りの所要距離または残り所要時間の少なくとも一方を指定すればよい。
【０１０９】
以下、図１３のフローチャートを参照して、ホームサーバの遠隔制御処理の手順について説明する。
【０１１０】
ユーザは自宅へ向かう場合には自宅を目的地に設定する。これにより、ナビゲーション制御部１１２によって目的地までの経路誘導がナビゲーション処理として開始される（ステップＳ１６１）。経路誘導処理においては、ナビゲーション制御部１１２は、自宅までの道路案内を行いながら、現在の自車位置と目的地（自宅）の所在位置とに基づいて、自宅までの残りの所要距離および残り所要時間を逐次算出し、それを画面上に表示する。
【０１１１】
システム制御部１２は、ホームサーバ制御部１１５を用いて、ナビゲーション制御部１１２によって算出された残りの所要距離または残り所要時間が、ホームサーバ制御モード設定情報で指定された所要距離または残り所要時間の設定値になったかどうかを判別する（ステップＳ１６２）。
【０１１２】
ナビゲーション制御部１１２によって算出された残りの所要距離または残り所要時間が設置値以下になった場合（ステップＳ１６２のＹＥＳ）、システム制御部１２は、ホームサーバ制御部１１５を用いて、ホームサーバの自動制御処理を実行する（ステップＳ１６３）。ここでは、ホームサーバ制御部１１５は、ホームサーバ制御モード設定情報に基づいて制御対象の家電機器および制御内容を示す制御コマンドを生成し、その制御コマンドを含むデータパケットを無線通信デバイス２６にホームサーバ５０１宛に送信させる。すなわち、このデータパケットはホームサーバ５０１のグローバルＩＰアドレスを含んでおり、自車位置周辺の無線アクセスポイント（ＡＰ）６０１およびインターネットを介してホームサーバ５０１に送信される。
【０１１３】
ホームサーバ５０１は、データパケットに含まれる制御コマンドに従って対応する家電機器を制御する。これにより、ユーザは何等明示的な指示を行わずとも、自宅に到着する前に家電機器を所望の動作状態に設定しておくことが出来る。
【０１１４】
また、自車位置が自宅付近に到達してホームサーバ５０１との無線通信が可能な範囲内に近接したことを条件に、無線通信デバイス２６とホームサーバ５０１との間の無線通信を開始して、上述の制御コマンドを含むデータパケットを無線通信デバイス２６からホームサーバ５０１に送信するようにしてもよい。
【０１１５】
次に、図１４乃至図１７を参照して、車載用電子機器１１のカーシアター機能について説明する。
【０１１６】
このカーシアター機能は、無線通信デバイス２６によって受信された映画タイトルなどのコンテンツデータをプロジェクタ２５を用いて車載スクリーンに投影し、それを例えば車の後席などから視聴するという機能である。
【０１１７】
カーシアター制御部１１６は、ドライブインシアターに設置されたサーバから無線信号によって配信されるコンテンツデータを無線通信デバイス２６によって受信し、そのコンテンツデータに含まれるビデオデータの映像をプロジェクタ２５を用いて車載スクリーンに投影すると共に、コンテンツデータに含まれるオーディオデータを車載オーディオ機器に出力する。
【０１１８】
ドライブインシアターにもそのサービス情報を無線で送信可能な無線機器が配置されており、自車位置がドライブインシアターに近づくと、図１４のような画面が表示される。
【０１１９】
図１４の表示画面は、図６で説明した「地図上に表示」モードのナビゲーション画面に対応している。このナビゲーション画面には、図示のように、地図２００が表示される。この地図２００は、自車位置周辺の地域の地図である。地図２００上には、現在の自車位置および走行方向を示すマーク２０１が表示される。さらに、地図２００上には、その地図上に存在する各種施設それぞれの種類に対応するランドマーク３０１〜３０４が表示される。ランドマーク３０１〜３０４の表示位置は、それに対応する施設の所在位置に対応している。
【０１２０】
いま、ランドマーク３０４とランドマーク３０１それぞれに対応する施設からサービス情報１００ａ，１００ｂが受信された場合を考える。この場合、これらサービス情報１００ａ，１００ｂは、それぞれランドマーク３０４，３０１に対応付けて表示される。さらに、これら２つのサービス情報１００ａ，１００ｂそれぞれのデータパケットにクーポン券情報が含まれている場合には、２つのクーポン券出力ボタン１０１ａ，１０１ｂが表示される。サービス情報１００ａとクーポン券出力ボタン１０１ａには識別番号として「１」が、またサービス情報１００ｂとクーポン券出力ボタン１０１ｂには識別番号として「２」が付加されて表示される。
【０１２１】
ランドマーク３０１に対応する施設がドライブインシアターである場合、例えば、「○○放映中　クーポン券有り　空き有り」等のメッセージを含むサービス情報１００ｂが表示される。
【０１２２】
図１５に示すように、ドライブインシアター６００内にはコンテンツデータを無線信号によって配信する配信サーバ６０１が設置されている。ユーザは車をドライブインシアター６００の敷地内に停車することにより、配信サーバ６０１から配信されるコンテンツデータを車内で視聴することが出来る。車載用電子機器１１と配信サーバ６０１との間の無線通信は、無線ＬＡＮを介して行われる。すなわち、無線通信デバイス２６は配信サーバ６０１と無線接続され、配信サーバ６０１から無線信号にて送信されるコンテンツデータを受信する。
【０１２３】
無線通信デバイス２６によって受信されたコンテンツデータは、図１６に示すように、通信制御部１１４を介してカーシアター制御部１１６に送られる。カーシアター制御部１１６では、コンテンツデータはビデオデータとオーディオデータとに分離され、そしてビデオデータはプロジェクタ２５に、オーディオデータは車載オーディオ機器に送られる。プロジェクタ２５は、カーシアター制御部１１６から入力されるビデオデータを再生し、その映像を車載スクリーン７００に投影する。
【０１２４】
車載スクリーン７００は、図１７に示すように、棒状の回転巻き取り部７００ａとそれに巻き取り自在に取り付けられた薄いスクリーンシートとから構成されたロールスクリーンである。
【０１２５】
巻き取り部７００ａは車のフロントガラス８００側の天上に取り付けられている。スクリーンシートは棒状の巻き取り部７００ａに巻き取られた状態で収容されている。使用時には、巻き取り部７００ａからスクリーンシートを引き出すことにより、スクリーンシートをその背面が車のフロントガラス８００に対向するように広げることが出来る。スクリーンシートの先端には、スクリーンシートを広げた状態に保持するためのフック７００ｂが設けられている。
【０１２６】
フロントガラス８００の手前に広げられたスクリーンシートには、プロジェクタ２５によって映像が投影される。これにより、ユーザは大画面で映画などのコンテンツを視聴することが出来る。ドライブインシアター６００には大型スクリーンを設置する必要はないので、通常の駐車場等のスペースでドライブインシアター６００を営業することができる。なお、プロジェクタ２５による映像投影は、安全上の観点から車が停止していることを条件に行われる。
【０１２７】
なお、本発明は、上記各実施形態に限定されるものではなく、実施段階ではその要旨を逸脱しない範囲で種々に変形することが可能である。例えば無線通信デバイスとしては無線ＬＡＮ規格のものに限らず、例えばＢｌｕｅｔｏｏｔｈ（Ｒ）の規格に対応したものを用いることも出来る。また、サービス情報は画面表示するのみならず、音声にて再生出力しても良い。
【０１２８】
更に、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【０１２９】
【発明の効果】
以上詳述した如く本発明によれば、車の周辺の施設で現在提供されているサービス情報をリアルタイムにユーザに提供することが可能となる。
【図面の簡単な説明】
【図１】本発明の一実施形態に係る車載用電子機器の構成を示すブロック図。
【図２】同実施形態の車載用電子機器が周辺の施設からサービス情報を受信した場合に当該サービス情報がどのように処理されるかを示す図。
【図３】同実施形態の車載用電子機器が周辺の施設からサービス情報として取得するデータパケットの構成例を示す図。
【図４】同実施形態の車載用電子機器で用いられるサービス情報表示画面の第１の例を示す図。
【図５】同実施形態の車載用電子機器で用いられるサービス情報表示画面の第２の例を示す図。
【図６】同実施形態の車載用電子機器で用いられるサービス情報表示画面の第３の例を示す図。
【図７】同実施形態の車載用電子機器で用いられるサービス情報モード設定画面の一例を示す図。
【図８】同実施形態の車載用電子機器によって実行されるサービス情報受信・表示処理の手順を示すフローチャート。
【図９】同実施形態の車載用電子機器によって実行されるクーポン券出力処理の手順を示すフローチャート。
【図１０】同実施形態の車載用電子機器によって実行される周辺検索処理の手順を示すフローチャート。
【図１１】同実施形態の車載用電子機器がホームサーバと連携して動作する様子を示す図。
【図１２】同実施形態の車載用電子機器で用いられるホームサーバ制御モード設定画面の一例を示す図。
【図１３】同実施形態の車載用電子機器によって実行されるホームサーバ自動制御処理の手順を示すフローチャート。
【図１４】同実施形態の車載用電子機器で用いられるサービス情報表示画面の他の例を示す図。
【図１５】同実施形態の車載用電子機器がビデオデータ配信サーバからコンテンツデータを受信する様子を示す図。
【図１６】同実施形態の車載用電子機器によって実行されるビデオデータ表示処理を説明するための図。
【図１７】同実施形態の車載用電子機器に設けられた車載スクリーンを示す図。
【符号の説明】
１１…車載用電子機器
１２…システム制御部
１３…ＣＤ／ＤＶＤドライブ
１４…ストレージ装置
１６…ＧＰＳユニット
２３…表示装置
２６…無線通信デバイス
２９…プリンタ
３１…無線機器
１００…サービス情報
１０１…クーポン券出力ボタン
３０１〜３０４…ランドマークアイコン
１１１…ナビゲーション制御部
１１２…サービス情報制御部
１１３…表示制御部
１１４…通信制御部
１１５…ホームサーバ制御部
１１６…カーシアター制御部
５０１…ホームサーバ
７００…車載スクリーン
【図１】
2004102416.tif 000003
【図２】
2004102416.tif 000004
【図３】
2004102416.tif 000005
【図４】
2004102416.tif 000006
【図５】
2004102416.tif 000007
【図６】
2004102416.tif 000008
【図７】
2004102416.tif 000009
【図８】
2004102416.tif 000010
【図９】
2004102416.tif 000011
【図１０】
2004102416.tif 000012
【図１１】
2004102416.tif 000013
【図１２】
2004102416.tif 000014
【図１３】
2004102416.tif 000015
【図１４】
2004102416.tif 000016
【図１５】
2004102416.tif 000017
【図１６】
2004102416.tif 000018
【図１７】
2004102416.tif 000019